(57)【特許請求の範囲】
【請求項１】
建物の大梁と柱からなる柱梁部材を構築する柱梁部材構工法であって、
１階層分の柱を一体的に構成し、上面または下面の少なくとも一方から上下方向に突き出た柱鉄筋を有するＰＣ柱部材と、部材の軽量化を目的として大梁を構成する鉄筋ユニットと、この鉄筋ユニットと一体化され、前記柱鉄筋を挿通するための挿通孔を有する柱パネルゾーンフルＰＣ部材とからなる大梁部材とを、前記ＰＣ部材の挿通孔に前記柱鉄筋を挿通して接合することを特徴とする柱パネルゾーンフルＰＣ一体大梁鉄筋ユニット構工法。
【請求項２】
建物の大梁と柱からなる柱梁部材を構築する柱梁部材構工法であって、
２階層分の柱を千鳥配置に構成し、上面または下面の少なくとも一方から上下方向に突き出た柱鉄筋と、側面から左右方向に突き出た梁鉄筋とを有するＰＣ柱部材と、部材の軽量化を目的として大梁を構成する鉄筋ユニットと、この鉄筋ユニットと一体化され、前記柱鉄筋を挿通するための挿通孔を有する柱パネルゾーンフルＰＣ部材とからなる大梁部材とを、前記ＰＣ部材の挿通孔に前記柱鉄筋を挿通して接合することを特徴とする柱パネルゾーンフルＰＣ一体大梁鉄筋ユニット構工法。
【請求項３】
前記大梁部材は、１スパン分または２スパン分以上の梁を構成する柱パネルゾーンフルＰＣ一体鉄筋ユニットからなることを特徴とする請求項１または２に記載の柱パネルゾーンフルＰＣ一体大梁鉄筋ユニット構工法。
【請求項４】
前記大梁部材は、ジョイント接合した主筋を有することを特徴とする請求項１〜３のいずれか一つに記載の柱パネルゾーンフルＰＣ一体大梁鉄筋ユニット構工法。
【請求項５】
前記大梁部材は、１個以上の前記ＰＣ部材と、これらを接続する前記鉄筋ユニットとからなることを特徴とする請求項１〜４のいずれか一つに記載の柱パネルゾーンフルＰＣ一体大梁鉄筋ユニット構工法。
【請求項６】
前記大梁部材は、１個の前記ＰＣ部材と、このＰＣ部材の両側に接続配置された２本の前記鉄筋ユニットとからなることを特徴とする請求項１〜５のいずれか一つに記載の柱パネルゾーンフルＰＣ一体大梁鉄筋ユニット構工法。
【発明の詳細な説明】
【技術分野】
【０００１】
本発明は、図１または図５に示す内容で柱梁を構築する柱パネルゾーンフルＰＣ一体大梁鉄筋ユニット構工法に関するものである。
【背景技術】
【０００２】
従来、建物の柱梁接合部（パネルゾーン）の構造が知られている（例えば、特許文献１参照）。工期短縮や品質確保を図るために、建物の柱パネルゾーンと大梁を一体としたハーフプレキャストコンクリート（ハーフＰＣ）やフルプレキャストコンクリート（フルＰＣ）によって一体大梁を構築することがある。
【０００３】
建物の外周部にバルコニーがなく、外装がサッシ打込みの外壁となっている場合のパネルゾーンの構成（建物の外周部の柱、大梁、壁の組み合わせ）としては、以下の（１）〜（６）が従来知られている。
【０００４】
（１）柱を１層１節フルＰＣ（パネルゾーン在来型）とし、大梁をハーフＰＣまたはフルＰＣとし、壁をＰＣカーテンウォールとしたものである。柱は、図１２の柱８に例示してあるように、上面から突き出た鉄筋８ａを有する構成である。
【０００５】
（２）柱を１層１節フルＰＣ（１層パネルゾーン柱ＰＣ１体）とし、大梁をハーフＰＣまたはフルＰＣとし、この大梁とフルＰＣの柱パネルゾーンとを一体化し、壁をＰＣカーテンウォールとしたものである。柱は、図１３の柱９に例示してあるように、上面から突き出た鉄筋９ａと側面から突き出た鉄筋９ｂとを有する構成である。
【０００６】
（３）柱を２層１節フルＰＣ（２層パネルゾーン１体）とし、大梁単体をハーフＰＣまたはフルＰＣとし、この大梁とフルＰＣの柱ジョイント部を現場打ちコンクリートで一体化し、壁をＰＣカーテンウォールとしたものである。柱は、図１１の柱６のように構成される。
【０００７】
（４）柱を１層１節フルＰＣ（１層パネルゾーン１体）とし、大梁を単体として鉄筋ユニットとプレキャストコンクリートフォーム（ＰＣＦ）と在来型枠とで構成し、壁をＰＣカーテンウォールまたはＰＣＦで構成したものである。柱は、図１０の柱１、図１３の柱９に例示してあるように、上面から突き出た鉄筋９ａと側面から突き出た鉄筋９ｂとを有する構成である。
【０００８】
（５）柱を２層１節フルＰＣ（２層パネルゾーン１体）とし、大梁を単体として鉄筋ユニットとプレキャストコンクリートフォーム（ＰＣＦ）と在来型枠とで構成し、壁をＰＣカーテンウォールまたはＰＣＦで構成したものである。柱は、図１１の柱６のように構成される。
【０００９】
（６）柱を１層１節（鉄筋ユニット＋ＰＣＦ）とし、大梁を単体として鉄筋ユニットとプレキャストコンクリートフォーム（ＰＣＦ）と在来型枠とで構成し、壁をＰＣカーテンウォールまたはＰＣＦで構成したものである。
【先行技術文献】
【特許文献】
【００１０】
【特許文献１】特許第４０８０９４５号公報
【発明の概要】
【発明が解決しようとする課題】
【００１１】
ところで、上記の従来の（１）〜（３）は、大型の揚重機が必要となる上、揚重ピース数が増え、施工コストや工程の面で不利である。また、大梁と壁の間に隙間ができ、上下左右の部屋間の遮音性能を確保することが難しくなるおそれがある。
【００１２】
また、上記の従来の（４）〜（６）は、（１）〜（３）の問題点を解決可能であるが、いずれも経済的なタワークレーン配置（クレーンの標準支配施工面積に基づく配置）での所定日数（例えば、４日）サイクルの工程を達成することは難しい。
【００１３】
さらに、上記の従来の（１）、（３）、（５）は、フルＰＣ柱のパネルゾーンが現場打ちコンクリートとなるため、寒冷期などに場所打ちコンクリートの強度が出ず、上階ＰＣ柱の施工ができなくなって、工程の遅延を引き起こすおそれがある。
【００１４】
本発明は、上記に鑑みてなされたものであって、揚重負荷を軽減して工期を短縮することができる安価な柱パネルゾーンフルＰＣ一体大梁鉄筋ユニット構工法を提供することを目的とする。
【課題を解決するための手段】
【００１５】
上記した課題を解決し、目的を達成するために、本発明の請求項１に係る柱パネルゾーンフルＰＣ一体大梁鉄筋ユニット構工法は、建物の大梁と柱からなる柱梁部材を構築する柱梁部材構工法であって、１階層分の柱を一体的に構成し、上面または下面の少なくとも一方から上下方向に突き出た柱鉄筋を有するＰＣ柱部材と、部材の軽量化を目的として大梁を構成する鉄筋ユニットと、この鉄筋ユニットと一体化され、前記柱鉄筋を挿通するための挿通孔を有する柱パネルゾーンフルＰＣ部材とからなる大梁部材とを、前記ＰＣ部材の挿通孔に前記柱鉄筋を挿通して接合することを特徴とする。
【００１６】
また、本発明の請求項２に係る柱パネルゾーンフルＰＣ一体大梁鉄筋ユニット構工法は、建物の大梁と柱からなる柱梁部材を構築する柱梁部材構工法であって、２階層分の柱を千鳥配置に構成し、上面または下面の少なくとも一方から上下方向に突き出た柱鉄筋と、側面から左右方向に突き出た梁鉄筋とを有するＰＣ柱部材と、部材の軽量化を目的として大梁を構成する鉄筋ユニットと、この鉄筋ユニットと一体化され、前記柱鉄筋を挿通するための挿通孔を有する柱パネルゾーンフルＰＣ部材とからなる大梁部材とを、前記ＰＣ部材の挿通孔に前記柱鉄筋を挿通して接合することを特徴とする。
【００１７】
また、本発明の請求項３に係る柱パネルゾーンフルＰＣ一体大梁鉄筋ユニット構工法は、上述した請求項１または２において、前記大梁部材は、１スパン分または２スパン分以上の梁を構成する柱パネルゾーンフルＰＣ一体鉄筋ユニットからなることを特徴とする。
【００１８】
また、本発明の請求項４に係る柱パネルゾーンフルＰＣ一体大梁鉄筋ユニット構工法は、上述した請求項１〜３のいずれか一つにおいて、前記大梁部材は、ジョイント接合した主筋を有することを特徴とする。
【００１９】
また、本発明の請求項５に係る柱パネルゾーンフルＰＣ一体大梁鉄筋ユニット構工法は、上述した請求項１〜４のいずれか一つにおいて、前記大梁部材は、１個以上の前記ＰＣ部材と、これらを接続する前記鉄筋ユニットとからなることを特徴とする。
【００２０】
また、本発明の請求項６に係る柱パネルゾーンフルＰＣ一体大梁鉄筋ユニット構工法は、上述した請求項１〜５のいずれか一つにおいて、前記大梁部材は、１個の前記ＰＣ部材と、このＰＣ部材の両側に接続配置された２本の前記鉄筋ユニットとからなることを特徴とする。
【発明の効果】
【００２１】
本発明の請求項１の構成によれば、建物の大梁と柱からなる柱梁部材を構築する柱梁部材構工法であって、１階層分の柱を一体的に構成し、上面または下面の少なくとも一方から上下方向に突き出た柱鉄筋を有するＰＣ柱部材と、部材の軽量化を目的として大梁を構成する鉄筋ユニットと、この鉄筋ユニットと一体化され、前記柱鉄筋を挿通するための挿通孔を有する柱パネルゾーンフルＰＣ部材とからなる大梁部材とを、前記ＰＣ部材の挿通孔に前記柱鉄筋を挿通して接合する。このため、柱パネルゾーンに現場打ちコンクリートを打設する必要がなくなり、養生期間を待つことなく上階の柱を構築する後続の工程に進むことができる。また、柱部分がＰＣ柱部材と、柱パネルゾーンフルＰＣ部材とに分離されて揚重部材の重量減が可能となり施工性向上を図ることができる。このため、揚重負荷を軽減して工期を短縮することができる安価な柱パネルゾーンフルＰＣ一体大梁鉄筋ユニット構工法を提供することができるという効果を奏する。
【００２２】
また、本発明の請求項２の構成によれば、建物の大梁と柱からなる柱梁部材を構築する柱梁部材構工法であって、２階層分の柱を千鳥配置に構成し、上面または下面の少なくとも一方から上下方向に突き出た柱鉄筋と、側面から左右方向に突き出た梁鉄筋とを有するＰＣ柱部材と、部材の軽量化を目的として大梁を構成する鉄筋ユニットと、この鉄筋ユニットと一体化され、前記柱鉄筋を挿通するための挿通孔を有する柱パネルゾーンフルＰＣ部材とからなる大梁部材とを、前記ＰＣ部材の挿通孔に前記柱鉄筋を挿通して接合する。このため、柱パネルゾーンに現場打ちコンクリートを打設する必要がなくなり、養生期間を待つことなく上階の柱を構築する後続の工程に進むことができる。また、柱部分がＰＣ柱部材と、柱パネルゾーンフルＰＣ部材とに分離されて揚重部材の重量減が可能となり施工性向上を図ることができる。このため、揚重負荷を軽減して工期を短縮することができる安価な柱パネルゾーンフルＰＣ一体大梁鉄筋ユニット構工法を提供することができるという効果を奏する。
【図面の簡単な説明】
【００２３】
【図１】図１は、本発明の実施例１の柱パネルゾーンフルＰＣ一体大梁鉄筋ユニット構工法を示す立面図である。
【図２】図２は、本発明の実施例１の大梁を示す上面図である。
【図３】図３は、本発明の実施例１の変形例の大梁を示す立面図である。
【図４】図４は、本発明の実施例１の変形例の大梁を示す上面図である。
【図５】図５は、本発明の実施例２の柱パネルゾーンフルＰＣ一体大梁鉄筋ユニット構工法を示す立面図である。
【図６】図６は、本発明の実施例１の工程表の一例を示す図である。
【図７】図７は、本発明の実施例２の工程表の一例を示す図である。
【図８】図８は、従来のタイプ１の工程表を示す図である。
【図９】図９は、従来のタイプ２の工程表を示す図である。
【図１０】図１０は、従来のタイプ１の柱梁構築方法を示す立面図である。
【図１１】図１１は、従来のタイプ２の柱梁構築方法を示す立面図である。
【図１２】図１２は、従来の柱（パネルゾーン在来型）を示す立面図である。
【図１３】図１３は、従来の柱（パネルゾーン１体）を示す立面図である。
【発明を実施するための形態】
【００２４】
以下に、本発明に係る柱パネルゾーンフルＰＣ一体大梁鉄筋ユニット構工法の実施例（実施例１および２）を図面に基づいて詳細に説明する。以下の実施例では、外周部にバルコニーがなく、外装にサッシが打ち込まれている外壁となっている鉄筋コンクリート造の超高層集合住宅建物の柱梁を例にとり説明する。なお、この実施例によりこの発明が限定されるものではない。
【００２５】
［実施例１］
図１および図２に示すように、本発明の実施例１に係る柱パネルゾーンフルＰＣ一体大梁鉄筋ユニット構工法は、１階層１節分の柱を一体的に構成し、上面から上方向に突き出た柱鉄筋１４を有するフルＰＣ柱部材１０（柱１層１節フルＰＣ柱）と、部材の軽量化を目的として大梁を構成する鉄筋ユニット１６と、この鉄筋ユニット１６と一体化され、柱鉄筋１４を挿通するための挿通孔１８ａを有する柱パネルゾーンフルＰＣ部材１８とからなる大梁部材１２とを、ＰＣ部材１８の挿通孔１８ａに柱鉄筋１４を挿通して接合するものである。この実施例１の構工法によって構築される構造が柱梁構造１００である。柱梁構面には、ＰＣＦまたはＰＣカーテンウォールからなる壁が構築されることとなる。
【００２６】
大梁部材１２は、１個以上のＰＣ部材１８と、これらを接続する鉄筋ユニット１６とからなる柱パネルゾーン１連ＰＣ一体大梁鉄筋ユニットである。鉄筋ユニット１６は、２つの柱パネルゾーンを跨いでなる２スパン分の梁を構成する柱パネルゾーンフルＰＣ一体の鉄筋のユニットである。鉄筋ユニット１６は主筋１６ａを有する。この主筋１６ａは、施工方法、運搬等の状況により１本物、ジョイント物を用いることが可能である。なお、鉄筋ユニット１６は、１スパン分の梁を構成することもできる。
【００２７】
また、柱パネルゾーンフルＰＣ部材１８は、２つの柱パネルゾーンに設けられるフルＰＣの部材である。大梁部材１２は、鉄筋ユニット１６をＰＣＦや型枠で覆いコンクリートを充填する公知の大梁ＰＣＦ工法により、大梁とすることができる。大梁用のＰＣＦとしては、Ｉ型ＰＣＦ、Ｌ型ＰＣＦ等を用いることができる。また、大梁部材１２同士は、場所打ちコンクリート２０で接合される。
【００２８】
このため、本実施例１によれば、柱パネルゾーンに現場打ちコンクリートを打設する必要がなくなり、養生期間を待つことなく上階の柱を構築する後続の工程に進むことができる。また、柱部分がＰＣ柱部材１０と、柱パネルゾーンフルＰＣ部材１８とに分離されて揚重部材の重量減が可能となり施工性向上を図ることができる。このため、揚重負荷を軽減して工期を短縮することができる安価な柱パネルゾーンフルＰＣ一体大梁鉄筋ユニット構工法を提供することができるという効果を奏する。
【００２９】
特に、床スラブ配筋時にＰＣ柱の施工ができるため、従来の工法に比べ工程を短縮することができる。例えば、従来５日であった基準階サイクル工程日数を４日に短縮することができる。
【００３０】
また、大梁の主筋のジョイント部がほぼ半分となるので、機械式継手の物量を減らすことができ、作業量低減による施工性向上を図ることができる。したがって、タワークレーンの揚重負担を軽減しコストダウンを図ることができる。
【００３１】
なお、図１０は、従来のタイプ１の柱梁構築方法を示す図である。図１０に示すように、従来のタイプ１の柱梁構築方法は、鉄筋３、４を備える柱１と、鉄筋ユニットからなる梁２とを接合し、梁２同士を場所打ちコンクリート５で接合したものである。
【００３２】
本実施例１の工程は図６に示すとおりであり、従来のタイプ１の工程は図８に示すとおりである。図６および図８を比較すると、本実施例１は、従来のタイプ１の柱梁構築方法に比べて、工程が短縮化され、コスト的に有利であることがわかる。
【００３３】
［実施例１の変形例］
図３および図４に示すように、本発明の実施例１の変形例は、大梁部材２２がジョイント２４で接合した主筋１６ａを有する構成となっている。大梁部材２２のジョイント２４の位置としては、中央ジョイントのほか、端部ジョイントや任意位置でのジョイントとすることができる。
【００３４】
［実施例２］
次に、本発明の実施例２について説明する。
図５に示すように、本発明の実施例２に係る柱パネルゾーンフルＰＣ一体大梁鉄筋ユニット構工法は、２階層１節分の柱（１層パネルゾーン１体）を千鳥配置に構成し、上面から上方向に突き出た柱鉄筋３４と、側面から左右方向に突き出た梁鉄筋４２とを有するフルＰＣ柱部材３０（柱２層１節フルＰＣ柱）と、部材の軽量化を目的として大梁を構成する鉄筋ユニット３６と、この鉄筋ユニット３６と一体化され、柱鉄筋３４を挿通するための挿通孔を有する柱パネルゾーンフルＰＣ部材３８とからなる大梁部材３２とを、ＰＣ部材３８の挿通孔に柱鉄筋３４を挿通して接合するものである。この実施例２の構工法によって構築される構造が柱梁構造２００である。柱梁構面には、ＰＣＦまたはＰＣカーテンウォールからなる壁が構築されることとなる。
【００３５】
大梁部材３２は、１個のＰＣ部材３８と、このＰＣ部材３８の両側に接続配置された２本の鉄筋ユニット３６とからなる柱パネルゾーン２連ＰＣ一体大梁鉄筋ユニットである。鉄筋ユニット３６は、２つの柱パネルゾーンを跨いでなる２スパン分の梁を構成する柱パネルゾーンフルＰＣ一体の鉄筋のユニットである。鉄筋ユニット３６は主筋を有する。この主筋は、施工方法、運搬等の状況により１本物、ジョイント物を用いることが可能である。なお、鉄筋ユニット３６は、１スパン分の梁を構成することもできる。
【００３６】
また、柱パネルゾーンフルＰＣ部材３８は、１つの柱パネルゾーンに設けられるフルＰＣの部材である。大梁部材３２は、鉄筋ユニット３６をＰＣＦや型枠で覆いコンクリートを充填する公知の大梁ＰＣＦ工法により、大梁とすることができる。大梁用のＰＣＦとしては、Ｉ型ＰＣＦ、Ｌ型ＰＣＦ等を用いることができる。また、大梁部材３２同士は、場所打ちコンクリート４０で接合される。
【００３７】
このため、本実施例２によれば、柱パネルゾーンに現場打ちコンクリートを打設する必要がなくなり、養生期間を待つことなく上階の柱を構築する後続の工程に進むことができる。また、柱部分がＰＣ柱部材３０と、柱パネルゾーンフルＰＣ部材３８とに分離されて揚重部材の重量減が可能となり施工性向上を図ることができる。このため、揚重負荷を軽減して工期を短縮することができる安価な柱パネルゾーンフルＰＣ一体大梁鉄筋ユニット構工法を提供することができるという効果を奏する。
【００３８】
特に、床スラブ配筋時にＰＣ柱の施工ができるため、従来の工法に比べ工程を短縮することができる。例えば、従来５日であった基準階サイクル工程日数を４日に短縮することができる。
【００３９】
また、大梁の主筋のジョイント部がほぼ半分となるので、機械式継手の物量を減らすことができ、作業量低減による施工性向上を図ることができる。したがって、タワークレーンの揚重負担を軽減しコストダウンを図ることができる。
【００４０】
なお、図１１は、従来のタイプ２の柱梁構築方法を示す図である。図１１に示すように、従来のタイプ２の柱梁構築方法は、鉄筋４、７を備える柱６と、鉄筋ユニットからなる梁２とを接合し、梁２同士を場所打ちコンクリート５で接合したものである。
【００４１】
本実施例２の工程は図７に示すとおりであり、従来のタイプ２の工程は図９に示すとおりである。図７および図９を比較すると、本実施例２は、従来のタイプ２の柱梁構築方法に比べて、工程が短縮化され、コスト的に有利であることがわかる。
【００４２】
以上説明したように、本発明の請求項１の構成によれば、建物の大梁と柱からなる柱梁部材を構築する柱梁部材構工法であって、１階層分の柱を一体的に構成し、上面または下面の少なくとも一方から上下方向に突き出た柱鉄筋を有するＰＣ柱部材と、部材の軽量化を目的として大梁を構成する鉄筋ユニットと、この鉄筋ユニットと一体化され、前記柱鉄筋を挿通するための挿通孔を有する柱パネルゾーンフルＰＣ部材とからなる大梁部材とを、前記ＰＣ部材の挿通孔に前記柱鉄筋を挿通して接合する。このため、柱パネルゾーンに現場打ちコンクリートを打設する必要がなくなり、養生期間を待つことなく上階の柱を構築する後続の工程に進むことができる。また、柱部分がＰＣ柱部材と、柱パネルゾーンフルＰＣ部材とに分離されて揚重部材の重量減が可能となり施工性向上を図ることができる。このため、揚重負荷を軽減して工期を短縮することができる安価な柱パネルゾーンフルＰＣ一体大梁鉄筋ユニット構工法を提供することができる。
【００４３】
また、本発明の請求項２の構成によれば、建物の大梁と柱からなる柱梁部材を構築する柱梁部材構工法であって、２階層分の柱を千鳥配置に構成し、上面または下面の少なくとも一方から上下方向に突き出た柱鉄筋と、側面から左右方向に突き出た梁鉄筋とを有するＰＣ柱部材と、部材の軽量化を目的として大梁を構成する鉄筋ユニットと、この鉄筋ユニットと一体化され、前記柱鉄筋を挿通するための挿通孔を有する柱パネルゾーンフルＰＣ部材とからなる大梁部材とを、前記ＰＣ部材の挿通孔に前記柱鉄筋を挿通して接合する。このため、柱パネルゾーンに現場打ちコンクリートを打設する必要がなくなり、養生期間を待つことなく上階の柱を構築する後続の工程に進むことができる。また、柱部分がＰＣ柱部材と、柱パネルゾーンフルＰＣ部材とに分離されて揚重部材の重量減が可能となり施工性向上を図ることができる。このため、揚重負荷を軽減して工期を短縮することができる安価な柱パネルゾーンフルＰＣ一体大梁鉄筋ユニット構工法を提供することができる。
【産業上の利用可能性】
【００４４】
以上のように、本発明に係る柱パネルゾーンフルＰＣ一体大梁鉄筋ユニット構工法は、外周部にバルコニーがなく、外装がサッシ打込みの外壁となっている建物に有用であり、特に、柱梁構築構造の施工期間を短縮するのに適している。
【符号の説明】
【００４５】
１０  ＰＣ柱部材（１階層分）（柱１層１節フルＰＣ柱）
１２  大梁部材（１スパン分）（柱パネルゾーン１連ＰＣ一体大梁鉄筋ユニット）
１４，３４  柱鉄筋
１６，３６  鉄筋ユニット
１６ａ  主筋
１８，３８  柱パネルゾーンフルＰＣ部材
１８ａ  挿通孔
２０，４０  場所打ちコンクリート
２２  大梁部材（ジョイント付）
２４  ジョイント部
３０  ＰＣ柱部材（２階層分）（柱２層１節フルＰＣ柱）
３２  大梁部材（２スパン分）（柱パネルゾーン２連ＰＣ一体大梁鉄筋ユニット）
４２  接合鉄筋（梁鉄筋）
１００  実施例１により構築される柱梁構造
２００  実施例２により構築される柱梁構造
【図１】
0005458394.tif 000002
【図２】
0005458394.tif 000003
【図３】
0005458394.tif 000004
【図４】
0005458394.tif 000005
【図５】
0005458394.tif 000006
【図６】
0005458394.tif 000007
【図７】
0005458394.tif 000008
【図８】
0005458394.tif 000009
【図９】
0005458394.tif 000010
【図１０】
0005458394.tif 000011
【図１１】
0005458394.tif 000012
【図１２】
0005458394.tif 000013
【図１３】
0005458394.tif 000014